(57)【特許請求の範囲】
【請求項１】
ボディと、前記ボディを支持する左右の前輪及び左右の後輪とを有し、
前記左右の後輪は、前記ボディの底面に取り付けられている後輪車軸に軸支されているとともに、
少なくとも１つの水上航行用の推進装置が、前記後輪車軸の後方に取り付けられている水陸両用車であって、
前記後輪を走行可能に露出させたまま、前記ボディの底面の少なくとも一部を下方から覆うリアアンダーカバーが設けられており、
前記リアアンダーカバーは、前後方向に分割して形成され、前記後輪車軸を挟み、かつ、当該後輪車軸と面一となるように対向して設けられるとともに、
前記後方のリアアンダーカバーは後方かつ上方に延在する傾斜面が形成され、前記傾斜面が、水上航行時において少なくとも１つの前記推進装置に向けて水流を案内可能となるように構成されていることを特徴とする水陸両用車。
【請求項２】
前記左右の前輪は、前記ボディの底面に取り付けられている前輪車軸に軸支されているとともに、
前記前輪を走行可能に露出させたまま、前記ボディの底面の少なくとも一部を下方から覆うフロントアンダーカバーが設けられており、
前記フロントアンダーカバーは、前後方向に分割して形成され、前記前輪車軸を挟み、かつ、当該前輪車軸と面一となるように対向して設けられていることを特徴とする請求項１に記載の水陸両用車。
【請求項３】
前記フロントアンダーカバーは、当該水陸両用車のバンパーと一体に形成されており、前記バンパーと共に流線形をなすことを特徴とする請求項２に記載の水陸両用車。
【発明の詳細な説明】
【技術分野】
【０００１】
本発明は、陸上走行及び水上航行が可能である水陸両用車に関する。
【背景技術】
【０００２】
水陸両用車には、自動車（車両）を基本構造として採用して水上航行を可能とするタイプと、船舶を基本構造として採用して陸上走行を可能とするタイプが存在する。両タイプの相違は、陸上走行と水上航行のいずれを重視するかによるものであるが、近時は、自動車を基本構造として採用するタイプの水陸両用車が数多く提供されている。このような自動車を基本構造として採用するタイプの水陸両用車として、車体の後部外面に水上航行用のスクリュー（推進装置）が備えられた水陸両用車が知られている。
【０００３】
一般的に、自動車における車体の底部外面には複雑な凹凸構造が存在する。これは、フレームに取り付けられた、エンジン、動力伝達装置（クラッチ、トランスミッション、スクリューシャフト、ディファレンシャルギア、車輪が連結される車軸等）及び懸架装置（サスペンション）、さらに車輪等が路面に対して露出していることに起因している。
【０００４】
一方、水上航行時には、水の密度が空気に比較して約８００倍大きく、水陸両用車の底部構造を含む主として喫水線より下方部分に対して、水の抵抗すなわち粘性圧力抵抗、摩擦抵抗及び造波抵抗等が作用するため、陸上走行時の空気による抵抗と比較して、大幅に増加することになる。そして、これらの各種抵抗は、水陸両用車の底部外面に複雑な凹凸構造が増加する場合にはさらに増大する。
また、水中航行用に船尾に設けたプロペラなどの推進器は船体の凹凸形状により生じる乱れた流れの中で作動するため、均一な流れの中で置かれた場合に比べ推進効率が低下するという、推進性能にも悪影響を及ぼしている。
【０００５】
上記課題に対して、水上航行時における各種抵抗の低減を図るため、水陸両用車の車輪を引込み式にして、車輪、フレーム、車軸及び懸架装置等をリンク機構による可動式の浮力カバーで覆う技術が提案されている（特許文献１）。
【先行技術文献】
【特許文献】
【０００６】
【特許文献１】特開２００５−５３４３４号公報
【発明の概要】
【発明が解決しようとする課題】
【０００７】
しかし、水上航行時における各種抵抗を減じるため、車輪を引込み式にし、リンク機構等の可動式のカバーで覆うのでは、陸上や水底における車輪を用いた走行（以下、「陸上走行」と総称する。）ができなくなり、また、水陸両用車の構造が複雑となって総重量も増加し、製造コストが増加してしまうという問題点があった。
【０００８】
また、水中には、藻類又は海草類等の水中植物が繁殖していたり、各種のゴミ類が浮遊しており、水陸両用車の底部に車軸及び懸架装置等が露出している場合、水上航行時にそれらの水中植物やゴミ類等が、当該部分に付着してしまうため、水陸両用車の上陸後に手作業で除去しなければならなかった。
しかし、上記従来の水陸両用車では、水上航行時において、水中植物等が車軸等に付着することを効果的に抑止することが困難であるという問題点があった。
【０００９】
本発明は、上記の各問題点を解決するためになされたものであり、簡易な構造かつ低製造コストで、水上航行時における各種抵抗の低減及び水中植物等の付着抑止を図ることを可能とする水陸両用車を提供することを目的とする。
【課題を解決するための手段】
【００１０】
上記課題を解決するために、本発明の水陸両用車は、ボディと、上記ボディを支持する左右の前輪及び左右の後輪とを有し、上記左右の後輪は、上記ボディの底面に取り付けられている後輪車軸に軸支されているとともに、少なくとも１つの水上航行用の推進装置が、上記後輪車軸の後方に取り付けられている水陸両用車であって、上記後輪を走行可能に露出させたまま、上記ボディの底面の少なくとも一部を下方から覆うリアアンダーカバーが設けられており、上記リアアンダーカバーは、前後方向に分割して形成され、上記後輪車軸を挟み、かつ、当該後輪車軸と面一となるように対向して設けられるとともに、上記後方のリアアンダーカバーは後方かつ上方に延在する傾斜面が形成され、上記傾斜面が、水上航行時において少なくとも１つの上記推進装置に向けて水流を案内可能となるように構成されていることを特徴としている。
【００１１】
ここで、面一とは、隣接する前後のリアアンダーカバーと後輪車軸の表面を同一表面に形成することをいうが、必ずしも完全に同一表面でなくてもよく、略同一表面に形成されているものであればよい。
また、推進装置には、スクリューを有する船外機、船内外機及び船内機、並びに、ウォータージェットの噴射装置等、各種の態様が含まれる。
【００１２】
本発明によれば、後輪を走行可能に露出させたまま、ボディの底面の少なくとも一部及び後輪車軸を下方から覆うリアアンダーカバーが設けられているため、当該ボディの底部に複雑な凹凸構造が露出している場合に比して、リアアンダーカバーの底面外面に沿って水がスムーズに流れるため、水上航行時における各種抵抗を低減し、かつ推進効率を向上させて効率的な水中走行が可能となる。
また、上記リアアンダーカバーは、前後方向に分割して形成され、後輪車軸を挟み、かつ、当該後輪車軸と面一となるように対向して設けられているため、後輪車軸の態様に対応させて、容易に取り付けることができる。
【００１３】
また、水陸両用車のボディの底部後方に複雑な凹凸構造が露出している場合には、水上航行時に水流に大きな渦が生じて水流をスムーズに推進装置へ案内することが困難であった。しかし、本発明によれば、リアアンダーカバーは、後輪車軸を覆う位置から後方かつ上方に延在する傾斜面が形成され、当該傾斜面が、水上航行時における上記少なくとも１つのスクリューに向けて水流を案内することが可能となっているため、推進装置の回転効率を向上させることができる一つの要因となる。
【００１４】
また、リアアンダーカバーの存在により、ボディの底部に複雑な凹凸構造が露出することがないため、水上航行時において水中植物等が付着することを防止することができる。
さらに、陸上走行においても空気抵抗を低減させることができるため、燃費の向上を図ることが可能となる。
【００１５】
また、後輪が引込み式でなく、リアアンダーカバーを装備しても、後輪はリアアンダーカバーに覆われることなく路面に対して露出したままであるので、陸上走行と水上航行を連続的に行うことができ、また、浅い水域では必要に応じて、水中における車輪を使用した走行が可能となる。
さらに、従来の水陸両用車と比較して、複雑な構造が不要であり簡単な構造でリアアンダーカバーを実現できるので総重量の増加が少なく、低コストで製造することが可能となる。
【００１６】
また、本発明の水陸両用車において、上記左右の前輪は、上記ボディの底面に取り付けられている前輪車軸に軸支されているとともに、上記前輪を走行可能に露出させたまま、上記ボディの底面の少なくとも一部を下方から覆うフロントアンダーカバーが設けられており、上記フロントアンダーカバーは、前後方向に分割して形成され、上記前輪車軸を挟み、かつ、当該前輪車軸と面一となるように対向して設けられている構造とすることができる。
【００１７】
本発明によれば、前輪を走行可能に露出させたまま、ボディの底面の少なくとも一部及び前輪車軸を下方から覆うフロントアンダーカバーが設けられているため、当該ボディの底部に複雑な凹凸構造が露出している場合に比して、フロントアンダーカバーの底面外面に沿って水がスムーズに流れるので水上航行時における各種抵抗を低減し、効率的な水中走行が可能となる。
【００１８】
また、上記フロントアンダーカバーは、前後方向に分割して形成され、上記前輪車軸を挟み、かつ、当該前輪車軸と面一となるように対向して設けられているため、前輪車軸の態様に対応させて、容易に取り付けることができる。
さらに、フロントアンダーカバーの存在により、ボディの底部に複雑な凹凸構造が露出することがないため、水上航行時において水中植物等が付着することを防止することができる。
【００１９】
さらに、本発明の水陸両用車において、上記フロントアンダーカバーは、当該水陸両用車のバンパーと一体構造となるように形成されており、上記バンパーと共に流線形をなす構造とすることができる。
【００２０】
本発明によれば、水流を左右に分けるだけでなく、スムーズに下方に導くことができるため、各種抵抗を一層低減させることができる。
【発明の効果】
【００２１】
本発明によれば、簡易な構造かつ低製造コストで、水上航行時における各種抵抗の低減及び水中植物等の付着抑止を図ることを可能とする水陸両用車を提供することができる。
【図面の簡単な説明】
【００２２】
【図１】本発明の第１実施形態における水陸両用車の側面図である。
【図２】本発明の第１実施形態における水陸両用車のボディの側面図である。
【図３】本発明の第１実施形態における水陸両用車の底面図である。
【図４】本発明の第１実施形態における水陸両用車における推進装置とリアアンダーカバーの位置関係を説明するための説明図である。
【図５】本発明の第１実施形態における水陸両用車のフロントアンダーカバー及びリアアンダーカバーの斜視図である。
【図６】本発明の第１実施形態における水陸両用車の左前方下部からの斜視図である。
【図７】本発明の第２実施形態における水陸両用車のアンダーカバーを外した状態における左前方下部からの斜視図である。
【図８】本発明の第３実施形態における水陸両用車の側面図である。
【図９】本発明の第３実施形態における水陸両用車の左前方下部からの斜視図である。
【図１０】本発明の第３実施形態における水陸両用車のフロントアンダーカバー及びバンパーの斜視図である。
【図１１】本発明の第４実施形態における水陸両用車における推進装置とリアアンダーカバーの位置関係を説明するための説明図である。
【発明を実施するための形態】
【００２３】
本発明の水陸両用車について、図面を参照して詳細に説明する。なお、以下の説明において、同一の装置等には同一の符合を付し、重複した説明を省略する。
なお、以下の説明において、特段の説明がない場合には、前後方向及び左右方向は進行方向に対する向きをいうことにする。
【００２４】
［１］第１実施形態
（１）基本構造
本発明の水陸両用車１の第１実施形態について説明する。
図１及び図３に示すように、水陸両用車１は、略箱形形状で内部空間を有するボディＢと、当該ボディＢに前部フレーム２０及び後部フレーム２５を介して取り付けられている前輪４１及び後輪４６とを備えている。
また、ボディＢの甲板上には、前部に運転室９８が設けられるとともに、後部に屋根や座席等を備える客室９９が設けられている。
【００２５】
（２）ボディ
図２に示すように、ボディＢは、密閉された内部空間を有する細長箱形形状に形成されているとともに、水上に浮上可能な水密構造となっており、前輪４１の取付部である前面部Ｂ１と、後輪４６の取付部である後面部Ｂ３と、後面部Ｂ３の後方の船尾部Ｂ４と、前面部Ｂ１と後面部Ｂ３との間の中間部Ｂ２から形成されている。
【００２６】
上記ボディＢは、長方形形状のボディ上面部材１１（甲板を構成）と、左右のボディ側面部材１２，１３と、山型形状であるボディ前面部材１４（平面視）と、ボディ側面の下縁部の形状に合致する形状であるハット状のボディ底面部材１５（側面視）と、略ホームベースの下側先端部を切除した六角形形状のボディ後面部材１６とが接合されることにより形成されている（但し、船尾部Ｂ４の構造は後述する）。
【００２７】
ボディ上面部材１１は、左右のボディ側面部材１２，１３、ボディ前面部材１４及びボディ後面部材１６の各上端部より低い位置に設けられており、当該ボディ上面部材１１の上部には、凹部状の空間部が形成されている。また、ボディ上面部材１１は、エンジン５６等の設置空間を確保するため、また予備浮力を増加させ水中での復原力を保持するため、略中央部を境に、前部が後部と比較して高く形成されている。
【００２８】
前面部Ｂ１は、ボディ前面部材１４と、左右のボディ側面部材１２，１３の前方部分、ボディ上面部材１１の前方部分及びボディ底面部材１５の前方部分（各々約全長の１／３の部分）から形成される部分である。上記前面部Ｂ１の下側には、ボディＢの先端部から前輪４１の後端部付近に至るまでの部分において車幅方向の全体に前側下部空間部７が形成されている。この前側下部空間部７の高さは、前輪４１の半径より少し長い寸法に形成されている。
【００２９】
ボディ前面部材１４は、水流を左右に分けて各種抵抗を低減するように先端中心部が突出して二辺が円弧状の略二等辺三角形状となる山型形状（平面視）に形成されている。
また、前面部Ｂ１に対応する左右のボディ側面部材１２，１３は、先端部がやや突出するとともに、側面視で前方下端部から前輪４１の後端部の近傍に至るまで、後方端部が１／４円状である略長方形状の部分を切除した形状をなしている。
【００３０】
中央部Ｂ２は、左右のボディ側面部材１２，１３の突状部分（各々約全長の１／３の部分）と、当該ボディ側面部材１２，１３に対応するボディ上面部材１１及びボディ底面部材１５とから形成される部分である。また、ボディ底面部材１５は、左右方向から下側に向けて、幅狭となるようなだらかに傾斜するように形成されている。
【００３１】
後面部Ｂ３は、ボディ後面部材１６の後方部分と、左右のボディ側面部材１２，１３の後方部分、ボディ上面部材１１の後方部分及びボディ底面部材１５の後方部分から形成される部分である。上記後面部Ｂ３の下側には、車幅方向の全体に後側下部空間部８が形成されている。この後側下部空間部８の高さは、後輪４６の半径より少し長い寸法に形成されている。
【００３２】
また、後面部Ｂ３に対応する左右のボディ側面部材１２，１３は、後輪４６の後端部の近傍において、側面視で後輪４６の形状に沿って半円状の部分が削除される形状に形成されている。
ボディ後面部材１６は、後面部Ｂ３と船尾部Ｂ４の境界を形成しており、ボディ底面部材１５の後端部に対して垂直に立設している。
【００３３】
船尾部Ｂ４は、ボディ後面部材１６において、左右のボディ側面部材１２，１３に接続して設けられている左右の浮体１９と、倒立した凹字形状である船尾部材１８とから形成されている。左右の浮体１９の間には、推進装置６０を設置するための後尾空間部９が形成されており、この後尾空間部９は、ボディＢの後面部Ｂ３の後側下部空間部８と連続している。
【００３４】
なお、左右のボディ側面部材１２，１３の後端部は、水流をスムーズに後方に案内することができるように、後方に向かって上向きの傾斜面が形成されるように、側面視で台形形状を呈している。
また、船尾部材１８には、テールランプ３２が取り付けられている。
【００３５】
（３）前部フレーム、後部フレーム及びバンパー
図３に示すように、前部フレーム２０は、前輪車軸４２を取り付けるために設けられる溝型鋼で形成されている枠条の部材（平面視）であり、前後方向に所定間隔で並設されているサイドレール２１Ａ，２１Ｂと、車幅方向に所定間隔で並設されているクロスメンバ２２Ａ，２２Ｂから構成されている。この前部フレーム２０は、図示しないボルトによりボディＢの前側下部空間部７に取り付けられている。
【００３６】
後部フレーム２５は、後輪車軸４７Ａ，４７Ｂを取り付けるために設けられる溝型鋼で形成されている枠条の部材であり、前後方向に所定間隔で並設されているサイドレール２６Ａ，２６Ｂと、車幅方向に所定間隔で並設されているクロスメンバ２７Ａ，２７Ｂから構成されている。この後部フレーム２５は、図示しないボルトによりボディＢの後側下部空間部８に取り付けられている。
【００３７】
バンパー３０は、前部フレーム２０の前端面の下側であって、ボディ底面部材１５の前端部に沿って付設されている。バンパー３０は、平面視で略Ｖ字状であり、ボディ前面部材１４の形状に沿うように平面視で中心部先端が突出して二辺が円弧状に対称に形成されている。
また、バンパー３０の左右の端部には、略直方体の箱状であるヘッドランプ３１が付設されている。
なお、ボディＢの先端部には、当該部位を補強するための２本の補強材３３が横設されている。
【００３８】
（４）エンジン及び動力伝達装置
図３に示すように、エンジン５０は、水上航行時に海水等に晒されて錆びてしまうことを防ぐために、ボディＢの中央部Ｂ２の内部空間に設置されている。このエンジン５０の出力軸に接続されて、後方に向かって順に、動力伝達装置を構成する、クラッチ５１と、トランスミッション５２が上記内部空間に設けられている。そして、上記トランスミッション５２の出力軸がボディＢの進行方向に延びるスクリューシャフト５３の前端部に接続され、当該スクリューシャフト５３の後端部が差動装置５４の入力軸に接続されている。
【００３９】
スクリューシャフト５３の前部は、ボディＢの内部空間に設置されている。また、スクリューシャフト５３はボディＢの水密を保持したまま、ボディＢの中央部Ｂ２の下方から後側下部空間８に突出した状態で延設されている。
差動装置５４の車幅方向の左右には、駆動軸である後輪車軸４７Ａ，４７Ｂが回動自在に接続されている。差動装置５４は、後部フレーム２５に取り付けられており、後側下部空間部８に突出している。
また、後輪車軸４７Ａ，４７Ｂは後部フレーム２５のサイドレール２６Ａ，２６Ｂに軸支されており、当該後輪車軸４７Ａ，４７Ｂの両端部には、それぞれ２個の後輪４６が設けられている。
【００４０】
前輪車軸４２は前部フレーム２０のサイドレール２１Ａ，２１Ｂに軸支されており、当該前輪車軸４２の両端部には、それぞれ１個の前輪４１が設けられている。また、前輪車軸４２は、図示しない操舵手段により、左右方向にその向きを変えることにより、操舵操作が可能となっている。
【００４１】
また、前輪車軸４２をその下方から支持するために、平行リーフスプリング式サスペンション４４（以下、「リーフスプリング」という。）が、前部フレーム２０のサイドレール２１Ａ，２１Ｂに沿って延設されている。同様に、後輪車軸４７Ａ，４７Ｂをその下方から支持するために、リーフスプリング４９が、後部フレーム２５のサイドレール２６Ａ，２６Ｂに沿って延設されている。
【００４２】
（５）推進装置
図４に示すように、水陸両用車１は、水上航行するために２基の推進装置６０を備えている。この推進装置６０は、公知の船外機であり柱体状の機体本体６１とその先端のスクリュー６２を備えている。
【００４３】
機体本体６１は、スイベルブラケット６４を介して左右の方向に操舵自在に取りつけられており、このスイベルブラケット６４は、クランプブラケット６５にチルト軸ｔを中心として上下揺動自在に支持されており、さらに、クランクブラケット６４は後述する後部フレーム２５の後端部に接合している支持部材２８の上縁部に固定されている。
また、スクリュー６２は３枚のスクリュー翼６２ａを備え、チルドダウン時において、機体本体の先端が鉛直となり、スクリュー翼６２ａが後方向きとなるように枢設されている。
【００４４】
機体本体６１におけるスクリュー６２ａの直上部には、キャビテーションプレート６３が横設されている。
【００４５】
上記構造により、推進装置６０は、水上航行時にはチルトダウンし、陸上走行時にはスクリュー翼６２ａ等の破損防止等のためにチルトアップすることで、水上航行及び陸上走行が可能となっている。
【００４６】
（６）ボディの底部構造
次に、水陸両用車１のボディＢの底部構造について説明する。水陸両用車１において、前側下部空間部７と後側下部空間部８は、それぞれフロントアンダーカバー７０とリアアンダーカバー８０により閉塞されている。
【００４７】
ａ）フロントアンダーカバー
図５に示すように、フロントアンダーカバー７０は、ボディＢの前面部の底部における凹凸構造を覆うとともに、バンパー３０及びボディ底面部材１５に密着することにより、全体的に滑らかな形状である平滑構造として各種抵抗を低減させる機能を有しており、金属製や樹脂製の薄板構造に形成されている。なお、フロントアンダーカバー７０は、流れ方向に波板状にして強度を持たせてもよい。
【００４８】
このフロントアンダーカバー７０は、前部フロントアンダーカバー７０ｆと後部フロントアンダーカバー７０ｒから形成されており、左右のリーフスプリング４４に対応した切欠部７５，７６が設けられているとともに、前輪車軸４２に対応する部分において、前後方向に二分割された構造を有している。
【００４９】
前部フロントアンダーカバー７０ｆは、平面視で矢印状をしており、バンパー３０の底部に図示しないボルトで接合されている。
【００５０】
後部フロントアンダーカバー７０ｒは、後底面部７４と、後底面部７４の後端部の左右に斜設されている後側面部７７から構成されている。左右の側面部７７は、ボディ底面部材１５に密着するなだらかに傾斜した形状であり、その上端部が、前側下部空間部７の後端部に図示しないボルトで接合されている。
【００５１】
そして、前部フロントアンダーカバー７０ｆと後部フロントアンダーカバー７０ｒは、図６に示すように、前輪車軸４２を覆わず、当該前輪車軸４２を挟み、面一となるように対向して、前側下部空間部７を塞ぐように、ボディ底面部材１５にボルトによって取り付けられている。
【００５２】
なお、陸上走行時に、ボディＢの下面と前輪４１の接地面の距離が小さいと小石やゴミ等と接触して走行の妨げとり、あるいは、フロントアンダーカバー７０が破損等するおそれがある。他方、この距離が大きいと抵抗も大きくなる。それゆえ、この距離は、これらのバランスを考慮して設計するのが好ましい。
【００５３】
ｂ）リアアンダーカバー
図５に示すように、リアアンダーカバー８０は、ボディＢの下面の凹凸構造を覆うとともに、前端がボディ底面部材１５に密着することにより、全体的に滑らかな形状である平滑構造として各種抵抗を低減させる機能を有しており、金属製や樹脂製の薄板構造に形成されている。
【００５４】
このリアアンダーカバー８０は、前部リアアンダーカバー８０ｆと後部リアアンダーカバー８０ｒから形成されており、左右のリーフスプリング４９に対応した切欠部８６，８７が設けられているとともに、後輪車軸４７Ａ，４７Ｂが位置する部分において、前後方向に二分割された構造を有している。
【００５５】
前部リアアンダーカバー８０ｆは、略凹字状である前側水平部８２と、その両端に設けられている左右の前側側面部８１から形成されている。前側水平部８２の後端部の中央部には、スクリューシャフト５３の一部及び差動装置５４に対応した台形状の開口部８８が形成されている。また、前側水平部８２の左右の後側面の端部には、リーフスプリング４９に対応した切欠部８６が形成されている。
【００５６】
また、後部リアアンダーカバー８０ｒは、長方形形状である後側水平部８３と、当該後側水平部８３に接続している長方形形状の後部傾斜面８５と、当該後側傾斜面８５の両端に設けられている左右の後側面部８４から形成されている。そして、後部傾斜面８５の前縁部には、リーフスプリング４９に対応した切欠部８７が形成されている。
【００５７】
前部リアアンダーカバー８０ｆと後部リアアンダーカバー８０ｒは、図６に示すように、後輪車軸４７Ａ，４７Ｂを覆わず、当該後輪車軸４７Ａ，４７Ｂを挟み、面一となるように対向して、後側下部空間部８を塞ぐように、ボディ底面部１５に取り付けられている。
【００５８】
なお、リーフスプリング４４，４９は、その構造上、フロントアンダーカバー７０及びリアアンダーカバー８０から、下方に僅かに突出している。
【００５９】
ところで、図４に示すように、スクリュー翼６２ａの回転した軌跡による円形の直径をＤ（この場合は、スクリュー翼６２ａの長さの２倍がＤとなることになる）とすると、後部リアアンダーカバー８０ｒの後部傾斜面８５の後端部は、キャビテーションプレート６３よりやや高い位置又はＤ／４高い位置となるように設けることが好適である。この場合、後部リアアンダーカバー８０ｒの後部傾斜面８５とキャビテーションプレート６３を水平に延長した水平線のなす角度θはできるだけ小さくする必要があるが、１０度乃至３５度となることが好ましい。
【００６０】
後部リアアンダーカバー８０ｒの後部傾斜面８５の後端部の位置をこのように設けることで、後部リアアンダーカバー８０ｒの後部傾斜面８５がスクリュー６２に向けて水流をスムーズに案内することができるようになっている。
また、後部リアアンダーカバー８０ｒの後部傾斜面８５が後側水平面８３となす傾斜角度は、本実施形態では約１５度に設けられており、急角度となることにより水流が傾斜面から剥離して水流が乱れることが抑制されている。
【００６１】
なお、陸上走行時に、リアアンダーカバー８０の前側水平面８２及び後側水平面８３と後輪４６の接地面の距離が小さいと小石やゴミ等と接触して走行の妨げとなったり、リアアンダーカバー８０が破損等するおそれがある。それゆえ、この距離は、この点を考慮して設計するのが好ましい。また、リアアンダーカバー８０の高さについては、プロペラへの水流の角度が、上記水平線に対して１０度乃至３５度となるように設計されることが好ましい。
【００６２】
（７）作用効果
次に、上記水陸両用車１の作用効果について説明する。
図１に示すように、水陸両用車１の水上航行時には、ボディＢの前側下部空間部７及び後側下部空間部８の部分は、喫水線Ｗより下方となる。このとき、フロントアンダーカバー７０の底面部に沿ってボディ底面部材１５の中央部に向かって水がスムーズに流れるため、ボディＢの前側下部空間部７の凹凸構造による各種抵抗を低減させることができる。
【００６３】
同様に、リアアンダーカバー８０により、ボディＢの後側下部空間部８の凹凸構造、すなわちスクリューシャフト５３の一部分、差動装置５４等による各種抵抗を低減させることができる。
【００６４】
なお、フロントアンダーカバー７０は、前輪車軸４２を覆っていないが、前部フロントアンダーカバー７０ｆと後部フロントアンダーカバー７０ｒは当該前輪車軸４２を挟み、面一となるように対向して設けられているため、各種抵抗を低減させる機能が損なわれることはない（リアアンダーカバー８０も同様である）。
また、リーフスプリング４４，４９は、フロントアンダーカバー７０及びリアアンダーカバー８０の底面よりわずかに突出しているに過ぎず、その形状も進行方向に滑らかな曲面となっているので各種抵抗を低減させる機能が損なわれることはない。
【００６５】
さらに、後部リアアンダーカバー８０ｒが後部傾斜面８５を備え、チルトダウンした推進装置６０のスクリュー翼６２ａに向けて水流をスムーズに案内する構造となっているため、当該スクリュー翼６２ａの回転効率を向上させることができる。
【００６６】
また、フロントアンダーカバー７０及びリアアンダーカバー８０の存在により、スクリューシャフト５３及び差動装置５４等への水中植物の付着等を抑制することができる。
【００６７】
さらに、フロントアンダーカバー７０及びリアアンダーカバー８０は、ボルトにより着脱自在な構造であるため、前輪車軸４２及び後輪車軸４７Ａ，４７Ｂ等の点検時の便宜を図ることができる。
なお、フロントアンダーカバー７０及びリアアンダーカバー８０は、既存の種々の水陸両用車に容易に取り付けることが可能であるため、非常に好適である。
【００６８】
［２］第２実施形態
次に、本発明の水陸両用車の第２実施形態について、図７を参照して説明する。
第２実施形態の水陸両用車２は、第１実施形態の水陸両用車１と基本的な構成は同様であるが、後部フロントアンダーカバーと前部リアアンダーカバーとが一体形状のアンダーカバー９０として形成されている点が相違している。このアンダーカバー９０においては、第１実施形態と同様の後部フロントアンダーカバー７０ｒの両側面部と、第１実施形態と同様の前部リアアンダーカバー８０ｆの両側面部とが、細長長方形状である接続中間アンダーカバー９０ａで接合されている（底面部には空間が形成されている）。
【００６９】
第２実施形態の水陸両用車２によれば、左右の側面部がなだらかに形成されていない等の場合であっても、アンダーカバー９０の底面に沿って全体にわたり連続して水がスムーズに流れるため、各種抵抗を一層低減させることができる。また、アンダーカバー９０の一体成型が可能であるので、製造工程の簡略化を図ることができる。
【００７０】
［３］第３実施形態
次に、本発明の水陸両用車の第３実施形態について、図８乃至図１０を参照して説明する。
第３実施形態に係る水陸両用車３は、第１実施形態に係る水陸両用車１と基本的な構成は同様であるが、フロントアンダーカバー７０がバンパー３０と一体に形成されている点が相違している。このフロントアンダーカバー７０は、バンパー３０と共に流線形をなしている。具体的には、前部フロントアンダーカバー７０ｆがバンパー３０と連続して設けられている。そして、前部フロントアンダーカバー７０ｆ及びバンパー３０は、一体となって、下方かつ後方に向かって流線形をなしている。それゆえ、これらの前部フロントアンダーカバー７０ｆ及びバンパー３０は、図８に示すように、側面視で曲線を描いている。
【００７１】
第３実施形態の水陸両用車３によれば、フロントアンダーカバー７０がバンパー３０と一体に形成され、バンパー３０と共に流線形をなすため、水流を左右に分けるだけでなく、スムーズに下方に導くことができる。これにより、各種抵抗を一層低減させることができる。また、フロントアンダーカバー７０とバンパー３０との一体成型が可能であるので、製造工程の簡略化を図ることができる。
【００７２】
［４］第４実施形態
次に、本発明の水陸両用車の第４実施形態について、図１１を参照して説明する。
第４実施形態に係る水陸両用車は、第１実施形態に係る水陸両用車１と基本的な構成は同様であるが、推進装置６０’が船外機ではなく、船内機である点で相違している。すなわち、ボディＢの内部空間に配置されている不図示の駆動力源からスクリューシャフト６４’及び軸受６５’を介して回転するスクリュー翼６２ａ’が設けられている。そして、スクリュー翼６２ａ’の進行方向の後方の舵により（図示せず）、水陸両用車２の進行方向に応じて鉛直軸を中心に左右に回転可能となるように構成されている。軸受６５’は、後部フレーム（図示せず）に取り付けられている支持部材２８’に取り付けられる金属性のシャフトブラケット６６’に支持されている。
【００７３】
上記推進装置では上下方向の位置は移動しないため、この場合におけるリアアンダーカバー８０’の後部傾斜面８５’の後端部はスクリュー翼６２ａ’の上方に位置している。リアアンダーカバー８０’の後部傾斜面８５’とスクリュー翼６２ａ’の間の距離Ｈ’は、振動防止の観点から非常に重要であり、スクリュー翼６２ａ’の直径をＤ’とすると、１５Ｄ’／１００以上（より好ましくは、２５Ｄ’／１００以上）とすることが必要となる。
さらに、リアアンダーカバー８０’の後部傾斜面８５’が水平面（図示せず）となす傾斜角度θ’は、急角度となることにより水流が傾斜面から剥離して水流が乱れることを抑制するためには、１０度乃至３５度とすることが好ましい。
【００７４】
第４実施形態の水陸両用車によっても、第１実施形態の水陸両用車１と同様の作用効果を奏することが可能となる。
【００７５】
以上、本発明について、好適な実施形態についての一例を説明したが、本発明は上記の各実施形態に限られず、本発明の趣旨を逸脱しない範囲で適宜設計変更が可能である。
【００７６】
例えば、上記の各実施形態において、スクリューは、後輪の後方であれば、任意の位置に、任意の数だけ取り付けられていてもよい。但し、この場合において、フロントアンダーカバーやリアアンダーカバーの形状は、それらのスクリューの少なくとも一部に対して水流をスムーズに導くような形状とすることが必要である。なお、追加の整流部材を設けることもできる。
【００７７】
また、上記フロントアンダーカバー及びリアアンダーカバーは、水密構造、非水密構造いずれであってもよい。非水密構造の場合は、水密構造とした場合と比較して、面積を少なくすることができるため、軽量化を図ることができるとともに、製造を容易としてコストの低減を図ることができる。
また、フロントアンダーカバーやリアアンダーカバーを含む種々の装置の形状、数量、取付け位置等は、広く選択可能である。
【００７８】
さらに、フロントアンダーカバーとボディの間、あるいは、リアアンダーカバーとボディとの間の空間の一部を水密構造とする所定の部材を備えていたり、当該空間に発泡の浮力材等が鉄板等で囲われて格納されていてもよい。これにより、さらなる浮力を確保することができる。
【００７９】
また、水陸両用車におけるボディの形状、バンパーの形状、サスペンションの形状、車輪数その他の細部の構造等はベースとなる車体により変形することが可能である。
さらに、水陸両用車は、後輪駆動に限らず、前輪駆動や全輪駆動であってもよいことはもちろんである。
【符号の説明】
【００８０】
１，２，３  水陸両用車
Ｂ  ボディ
Ｂ１  前面部
Ｂ２  中間部
Ｂ３  後面部
Ｂ４  船尾部
７  前側下部空間部
８  後側下部空間部
９  後尾空間部
１２，１３  ボディ側面部材
１４  ボディ前面部材
１５  ボディ底面部材
２０  前部フレーム
２５  後部フレーム
４１  前輪
４２  前輪車軸
４６  後輪
４７Ａ，４７Ｂ  後輪車軸
６０，６０’  推進装置
６１  機体本体
６２  スクリュー
６２ａ，６２ａ’  スクリュー翼
７０  フロントアンダーカバー
７０ｆ  前部フロントアンダーカバー
７０ｒ  後部フロントアンダーカバー
８０  リアアンダーカバー
８０ｆ  前部リアアンダーカバー
８０ｒ  後部リアアンダーカバー
９０  アンダーカバー
９０ａ  接続中間アンダーカバー
【図１】
0005823330.tif 000002
【図２】
0005823330.tif 000003
【図３】
0005823330.tif 000004
【図４】
0005823330.tif 000005
【図５】
0005823330.tif 000006
【図６】
0005823330.tif 000007
【図７】
0005823330.tif 000008
【図８】
0005823330.tif 000009
【図９】
0005823330.tif 000010
【図１０】
0005823330.tif 000011
【図１１】
0005823330.tif 000012